(57)【特許請求の範囲】
【請求項１】
データストリームを受信する受信手段と、
上記データストリームに含まれる番組コンテンツをコンテンツ蓄積部に記録する番組コンテンツ記録手段と、上記データストリームに含まれるデータ放送コンテンツであって、上記番組コンテンツに対応するデータ放送コンテンツをコンテンツ蓄積部に記録するデータ放送コンテンツ記録手段と、
上記コンテンツ蓄積部に記録された番組コンテンツを再生する番組コンテンツ再生手段と、上記コンテンツ蓄積部に記録されたデータ放送コンテンツを読み出すデータ放送コンテンツ読出手段と、
上記番組コンテンツ再生手段による番組コンテンツの再生とは独立に、上記データ放送コンテンツ読出手段が上記コンテンツ蓄積部から読み出したデータ放送コンテンツを表示するデータ放送コンテンツ表示手段と、を備え、
上記データ放送コンテンツ記録手段は、上記データストリームに含まれるデータ放送コンテンツのうち、対応する番組コンテンツの内容に関連しない番組非依存コンテンツであって、当該記録再生装置に保存された地域識別コードに応じて選択した、当該記録再生装置の使用地域に関する番組非依存コンテンツのみを、上記コンテンツ蓄積部に記録するものであり、
上記データ放送コンテンツ表示手段は、上記番組コンテンツ再生手段が番組コンテンツを再生していないときに、上記データ放送コンテンツ読出手段が上記コンテンツ蓄積部から読み出した番組非依存コンテンツを表示するものであり、
上記受信手段は、複数のチューナを有しており、当該複数のチューナのうちの１つのチューナで複数のチャンネルのデータ放送コンテンツを取得し、残りのチューナではデータ放送コンテンツを取得せず、
当該記録再生装置は、
電源がスタンバイ中であっても、前記受信手段による前記データストリームの受信処理、および、前記データ放送コンテンツ記録手段による前記データ放送コンテンツの記録処理を実行することにより、複数のチャンネルの各々の最新のデータ放送コンテンツを記録する
ことを特徴とする記録再生装置。
【請求項２】
上記データ放送コンテンツ記録手段は、上記番組非依存コンテンツに含まれる所定のパターンにマッチする文字列を抽出することによって表示期間を特定し、当該表示期間を、該番組非依存コンテンツと関連付けて上記コンテンツ蓄積部に蓄積するものであり、
上記データ放送コンテンツ読出手段は、上記コンテンツ蓄積部に記録された番組非依存コンテンツのうち、上記表示期間に現在日時が含まれる番組非依存コンテンツのみを読み出すものである、
ことを特徴とする請求項１に記載の記録再生装置。
【請求項３】
上記データ放送コンテンツ表示手段は、上記データ放送コンテンツを、表示端末に表示させる
ことを特徴とする請求項１または２に記載の記録再生装置。
【請求項４】
上記コンテンツ蓄積部に記録されたＢＭＬコンテンツを縮小表示するＢＭＬコンテンツ縮小表示手段と、上記ＢＭＬコンテンツ縮小表示手段によって縮小表示されたＢＭＬコンテンツに含まれるサブコンテンツのうち、ユーザにより選択されたサブコンテンツを拡大表示するサブコンテンツ拡大表示手段と、を更に備えている、
ことを特徴とする請求項１〜３の何れか１項に記載の記録再生装置。
【請求項５】
上記受信手段は、少なくとも１つのチューナを有しており、当該１つのチューナによって、データ放送コンテンツの取得対象とされている複数のチャンネルを順次選局し、
上記データ放送コンテンツ記録手段は、上記受信手段が、上記１つのチューナによってデータ放送コンテンツの取得対象とされているチャンネルを選局する毎に、選局されたチャンネルの上記データストリームに含まれるデータ放送コンテンツをコンテンツ蓄積部に記録する、
ことを特徴とする請求項１〜４の何れか１項に記載の記録再生装置。
【請求項６】
複数のチューナを有する受信手段においてデータストリームを受信する受信ステップと、
上記データストリームに含まれる番組コンテンツをコンテンツ蓄積部に記録する番組コンテンツ記録ステップと、上記データストリームに含まれるデータ放送コンテンツであって、上記番組コンテンツに対応するデータ放送コンテンツをコンテンツ蓄積部に記録するデータ放送コンテンツ記録ステップと、
上記コンテンツ蓄積部に記録された番組コンテンツを再生する番組コンテンツ再生ステップと、上記コンテンツ蓄積部に記録されたデータ放送コンテンツを読み出すデータ放送コンテンツ読出ステップと、
上記番組コンテンツ再生ステップにおける番組コンテンツの再生とは独立に、上記データ放送コンテンツ読出ステップにて上記コンテンツ蓄積部から読み出したデータ放送コンテンツを表示するデータ放送コンテンツ表示ステップと、を含み、
上記データ放送コンテンツ記録ステップでは、上記データストリームに含まれるデータ放送コンテンツのうち、対応する番組コンテンツの内容に関連しない番組非依存コンテンツであって、記録再生装置に保存された地域識別コードに応じて選択した、上記記録再生装置の使用地域に関する番組非依存コンテンツのみを、上記コンテンツ蓄積部に記録し、
上記データ放送コンテンツ表示ステップでは、上記番組コンテンツ再生ステップにおいて番組コンテンツを再生していないときに、上記データ放送コンテンツ読出ステップにて上記コンテンツ蓄積部から読み出した番組非依存コンテンツを表示し、
上記受信ステップでは、上記複数のチューナのうちの１つのチューナで複数のチャンネルのデータ放送コンテンツを取得し、残りのチューナではデータ放送コンテンツを取得せず、
当該記録再生方法は、
上記記録再生装置の電源がスタンバイ中であっても、前記受信ステップ、および、前記データ放送コンテンツ記録ステップを実行することにより、複数のチャンネルの各々の最
新のデータ放送コンテンツを記録する
ことを特徴とする記録再生方法。
【請求項７】
コンピュータを請求項１〜５の何れか１項に記載の記録再生装置として動作させるためのプログラムであって、上記コンピュータを上記記録再生装置の各手段として機能させるプログラム。
【請求項８】
請求項７に記載のプログラムが記録されたコンピュータ読み取り可能な記録媒体。
【発明の詳細な説明】
【技術分野】
【０００１】
本発明は、デジタル放送を受信して番組コンテンツを記録すると共に、記録した番組コンテンツを再生する記録再生装置および記録再生方法に関する。また、そのような記録再生装置としてコンピュータを動作させるプログラム、および、そのようなプログラムが記録されたコンピュータ読み取り可能な記録媒体に関する。
【背景技術】
【０００２】
デジタル放送の普及に伴い、各種コンテンツを番組コンテンツと共にＭＰＥＧ−２ストリームに多重化して放送するデータ放送が広く利用されている。また、データ放送用のマルチメディアコンテンツ（以下、「ＢＭＬコンテンツ」とも記載）を記述する言語として、ＢＭＬ（Broadcast Markup Language）がＡＲＩＢ（社団法人電波産業会）により策定されており、我が国の市場に流通している受信機（テレビジョン受像機やレコーダなど）の多くがＢＭＬブラウザを搭載するに到っている。
【０００３】
データ放送コンテンツは、対応する番組コンテンツが放送されている間、データカルーセル方式により繰り返し放送される。テレビジョン受像機やレコーダ装置などの受信機は、このデータ放送コンテンツを蓄積し、対応する番組コンテンツを再生している間、ユーザから指示（例えば、リモコンのｄボタンの押下）をトリガーとして、このデータ放送コンテンツを再生するよう構成される。
【０００４】
特許文献１〜２には、データ放送に含まれる番組情報に含まれるキーワード等に基づいて、ユーザの嗜好にあった番組コンテンツを優先提示することによって、番組コンテンツの選択を容易にする技術が開示されている。また、特許文献３には、データ放送に含まれる番組情報のみならず、番組情報に基づいてインターネット検索を行い、得られた番組関連情報をユーザに提示する技術が開示されている。
【先行技術文献】
【特許文献】
【０００５】
【特許文献１】特開２００６−１５５３３６号公報
【特許文献２】特開２００５−３９７４９号公報
【特許文献３】特開２００８−２８５２９号公報
【発明の概要】
【発明が解決しようとする課題】
【０００６】
データ放送コンテンツの内容は多様化しており、字幕のように番組コンテンツの内容に関連するコンテンツ（以下「番組依存コンテンツ」とも記載）のみならず、地域イベント情報のように番組コンテンツの内容に関連しないコンテンツ（以下「番組非依存コンテンツ」とも記載）も増えている。
【０００７】
ところが、データ放送コンテンツは、番組コンテンツを再生したときに限ってユーザに提示される。テレビジョン受像機等において、受信した番組コンテンツをリアルタイム再生する場合であっても、レコーダ等において、記録した番組コンテンツを非リアルタイム再生する場合であっても、この事情に変わりはない。
【０００８】
したがって、番組コンテンツの再生中であるか否かに拠らず、ユーザにとって有益な番組非依存コンテンツであっても、番組コンテンツを再生しなければ、ユーザは、これに気付くことも、これを閲覧することもできない。また、仮に対応する番組コンテンツを再生しても、番組非依存コンテンツの多くは何度かリンクを辿った後にユーザに提示されるものであるため、番組非依存コンテンツがユーザに閲覧される機会は稀であった。
【０００９】
また、番組依存コンテンツ（例えば、料理番組に対応するレシピ）は、視聴する番組コンテンツを選択するための有用なヒントとなるが、番組コンテンツを再生する前に番組依存コンテンツを再生する術がなく、番組依存コンテンツを番組コンテンツの選択に活用することができなかった。
【００１０】
特許文献１〜２に記載の技術は、ユーザに見たい番組を選択させるための工夫に過ぎず、これらの問題を解決するものではない。また、特許文献３に記載の技術を利用した場合にユーザに提示される、インターネットから入手した情報は、不特定多数の発信者により発信された情報であるため、信頼性に欠ける（誤解に基づいていたり、誤りを含んでいたりすることがある）。また、何年も更新されていない古い情報が検索にヒットしてしまうこともあり、この場合も、不適切な情報がユーザに提示されてしまうことになる。
【００１１】
本発明は、上記の問題に鑑みてなされたものであり、本発明の目的は、番組コンテンツを再生しないと表示されない、これまでユーザによって閲覧される機会の少なかったデータ放送コンテンツを効果的にユーザに提示することが可能な記録再生装置を実現することにある。
【課題を解決するための手段】
【００１２】
上記課題を解決するために、本発明に係る記録再生装置は、データストリームを受信する受信手段と、上記データストリームに含まれる番組コンテンツをコンテンツ蓄積部に記録する番組コンテンツ記録手段と、上記データストリームに含まれるデータ放送コンテンツであって、上記番組コンテンツに対応するデータ放送コンテンツをコンテンツ蓄積部に記録するデータ放送コンテンツ記録手段と、上記コンテンツ蓄積部に記録された番組コンテンツを再生する番組コンテンツ再生手段と、上記コンテンツ蓄積部に記録されたデータ放送コンテンツを読み出すデータ放送コンテンツ読出手段と、上記番組コンテンツ再生手段による番組コンテンツの再生とは独立に、上記データ放送コンテンツ読出手段が上記コンテンツ蓄積部から読み出したデータ放送コンテンツを表示するデータ放送コンテンツ表示手段と、を備えている、ことを特徴とする。
【００１３】
また、本発明に係る記録再生装置は、データストリームを受信する受信手段と、上記データストリームに含まれるデータ放送コンテンツであって、各番組コンテンツに対応するデータ放送コンテンツをコンテンツ蓄積部に記録するデータ放送コンテンツ記録手段と、上記コンテンツ蓄積部に記録されたデータ放送コンテンツを読み出すデータ放送コンテンツ読出手段と、上記番組コンテンツの再生とは独立に、上記データ放送コンテンツ読出手段が上記コンテンツ蓄積部から読み出したデータ放送コンテンツを表示するデータ放送コンテンツ表示手段と、を備えている、ことを特徴とする。
【００１４】
上記の構成によれば、データ放送コンテンツを、そのデータ放送コンテンツに対応する番組コンテンツを再生することなく、表示することができる。このため、従来、ユーザに閲覧される機会の少なかったデータ放送コンテンツをユーザに提示することが可能になる。
【００１５】
なお、上記データストリームは、デジタル放送により放送されたデータストリームであってもよいし、ケーブルテレビ放送により放送されたデータストリームであってもよいし、インターネット放送により放送されたデータストリームであってもよい。
【００１６】
本発明に係る記録再生装置において、上記データ放送コンテンツ記録手段は、上記データストリームに含まれるデータ放送コンテンツのうち、対応する番組コンテンツの内容に関連しない番組非依存コンテンツを上記コンテンツ蓄積部に記録するものであり、上記データ放送コンテンツ表示手段は、上記番組コンテンツ再生手段が番組コンテンツを再生していないときに、上記データ放送コンテンツ読出手段が上記コンテンツ蓄積部から読み出した番組非依存コンテンツを表示するものである、ことが好ましい。
【００１７】
上記の構成によれば、対応する番組コンテンツが視聴中でなくとも有用な番組非依存コンテンツを、その番組非依存コンテンツに対応する番組コンテンツを再生することなく、表示することができる。
【００１８】
本発明に係る記録再生装置において、上記データ放送コンテンツ記録手段は、上記データストリームに含まれる番組非依存コンテンツのうち、当該記録再生装置に保存された地域識別コードに応じて選択した、当該記録再生装置の使用地域に関する番組非依存コンテンツのみを、上記コンテンツ蓄積部に記録するものである、ことが好ましい。
【００１９】
上記の構成によれば、特に有用な番組非依存コンテンツ、すなわち、当該記録再生装置の使用地域に関連する番組非依存コンテンツを、その番組非依存コンテンツに対応する番組コンテンツを再生することなく、表示することができる。
【００２０】
本発明に係る記録再生装置において、上記データ放送コンテンツ記録手段は、上記番組非依存コンテンツに含まれる日時情報に応じて設定した表示期間を、該番組非依存コンテンツと関連付けて上記コンテンツ蓄積部に蓄積するものであり、上記データ放送コンテンツ読出手段は、上記コンテンツ蓄積部に記録された番組非依存コンテンツのうち、上記表示期間に現在日時が含まれる番組非依存コンテンツのみを読み出すものである、ことが好ましい。
【００２１】
上記の構成によれば、特に有用な番組非依存コンテンツ、すなわち、現在日時に関連する番組非依存コンテンツを、その番組非依存コンテンツに対応する番組コンテンツを再生することなく、表示することができる。
【００２２】
本発明に係る記録再生装置は、上記コンテンツ蓄積部に記録されたＢＭＬコンテンツを縮小表示するＢＭＬコンテンツ縮小表示手段と、上記ＢＭＬコンテンツ縮小表示手段によって縮小表示されたＢＭＬコンテンツに含まれるサブコンテンツのうち、ユーザにより選択されたサブコンテンツを拡大表示するサブコンテンツ拡大表示手段と、を更に備えている、ことが好ましい。
【００２３】
上記の構成によれば、ユーザは、ＢＭＬコンテンツ、および、そのＢＭＬコンテンツに含まれるサブコンテンツを容易に閲覧することができる。これにより、従来、埋もれていたような情報を効果的にユーザに提示することが可能になる。
【００２４】
本発明に係る記録再生装置において、上記受信手段は、少なくとも１つのチューナを有しており、当該１つのチューナによって、データ放送コンテンツの取得対象とされている複数のチャンネルを順次選局し、上記データ放送コンテンツ記録手段は、上記受信手段が、上記１つのチューナによってデータ放送コンテンツの取得対象とされているチャンネルを選局する毎に、選局されたチャンネルの上記データストリームに含まれるデータ放送コンテンツをコンテンツ蓄積部に記録する、ことが好ましい。
【００２５】
上記の構成によれば、少なくとも１つのチューナを備えていれば、複数のチャンネルのデータ放送コンテンツを取得することができる。すなわち、記録再生装置が、チューナをチャンネル毎に備えていない場合や、チューナを１つしか備えていない場合であっても、複数のチャンネルのデータ放送コンテンツを取得し、ユーザに提示することができる。
【００２６】
上記課題を解決するために、本発明に係る記録再生方法は、データストリームを受信する受信ステップと、上記データストリームに含まれる番組コンテンツをコンテンツ蓄積部に記録する番組コンテンツ記録ステップと、上記データストリームに含まれるデータ放送コンテンツであって、上記番組コンテンツに対応するデータ放送コンテンツをコンテンツ蓄積部に記録するデータ放送コンテンツ記録ステップと、上記コンテンツ蓄積部に記録された番組コンテンツを再生する番組コンテンツ再生ステップと、上記コンテンツ蓄積部に記録されたデータ放送コンテンツを読み出すデータ放送コンテンツ読出ステップと、上記番組コンテンツ再生ステップにおける番組コンテンツの再生とは独立に、上記データ放送コンテンツ読出ステップにて上記コンテンツ蓄積部から読み出したデータ放送コンテンツを表示するデータ放送コンテンツ表示ステップと、を含んでいる、ことを特徴とする。
【００２７】
上記の構成によれば、上記記録再生装置と同様の効果を奏する。
【００２８】
なお、コンピュータを上記記録再生装置として動作させるためのプログラム、および、そのようなプログラムが記録されたコンピュータ読み取り可能な記録媒体も本発明の範疇に含まれる。
【発明の効果】
【００２９】
本発明によれば、これまでユーザによって閲覧されることなく破棄されていたデータ放送コンテンツを活用して、従来、ユーザに閲覧される機会の少なかった情報をユーザに提供することができる。
【図面の簡単な説明】
【００３０】
【図１】本発明の一実施形態に係る記録再生装置の構成を示したブロック図である。
【図２】図１に示す記録再生装置に蓄積される、番組非依存コンテンツの具体例を示した図である。
【図３】図１に示す記録再生装置に蓄積される、番組依存コンテンツの具体例を示した図である。
【図４】図１に示す記録再生装置が有するコンテンツ記録機能の概要を示す図である。
【図５】図１に示す記録再生装置における番組非依存コンテンツの抽出・記録処理の具体例を示すフローチャートである。
【図６】図１に示す記録再生装置が表示端末に表示させる番組コンテンツ選択画面を示す図である。
【図７】図１に示す記録再生装置における番組非依存コンテンツの選択・再生処理の具体例を示すフローチャートである。
【図８】図１に示す記録再生装置が表示端末に表示させる他の番組コンテンツ選択画面を示す画面構成図である。
【図９】図１に示す記録再生装置の第１の変形例を示す図である。
【図１０】図１に示す記録再生装置の第２の変形例を示す図である。
【図１１】図１に示す記録再生装置の第３の変形例を示す図である。
【図１２】図１に示す記録再生装置のさらなる変形例を示すブロック図である。
【図１３】本実施形態に係る記録再生装置における、１つのチューナによる複数のチャンネルのデータ放送コンテンツを取得する処理の具体例を示すフローチャートである。
【発明を実施するための形態】
【００３１】
〔記録再生装置の構成〕
本実施形態に係る記録再生装置１の構成について、図１を参照して説明する。図１は、記録再生装置１の構成を示すブロック図である。
【００３２】
記録再生装置１は、図１に示すように、受信部１０と、番組非依存コンテンツ抽出部１１と、番組非依存コンテンツ記録部１２と、番組依存コンテンツ抽出部１３と、番組依存コンテンツ記録部１４と、番組コンテンツ記録部１５と、コンテンツ蓄積部１６と、番組非依存コンテンツ読出／再生部１７と、番組依存コンテンツ読出／再生部１８と、番組コンテンツ読出／再生部１９と、コンテンツ描画部２０とを備えており、例えば、表示端末２に接続される。
【００３３】
受信部１０は、デジタル放送の放送波を受信すると共に、その放送波からデータストリーム（例えば、ＭＰＥＧ−２ストリーム）を復調する。受信部１０によって復調されたデータストリームは、番組コンテンツを表す符号化データであり、その番組コンテンツに対応するデータ放送コンテンツが多重化されている。受信部１０は、このデータ放送コンテンツを逆多重化してバッファ（不図示）に格納する。
【００３４】
なお、受信部１０は、複数のチューナを含んで構成されていることが好ましい。この場合、相異なるチャンネルを介して同時に放送される複数のデータストリームを並列的に復調することができる。受信部１０が複数のチューナを含んで構成されている場合には、複数のデータストリームの各々に多重化されたデータ放送コンテンツが上述したバッファに格納される。もちろん、相異なるチャンネルを介して同時に放送される複数のデータストリームを並列的に復調する機能が不要であれば、受信部１０を単一のチューナによって構成しても構わない。これにより、記録再生装置１のコストを低下させることができる。
【００３５】
番組非依存コンテンツ抽出部１１は、上述したバッファに格納されたデータ放送コンテンツから番組非依存コンテンツを抽出する。番組非依存コンテンツとは、データ放送コンテンツのうち、対応する番組コンテンツの内容と関連しないもののことを指す。番組非依存コンテンツ抽出部１１によって抽出された番組非依存コンテンツは、番組非依存コンテンツ記録部１２に供給される。番組非依存コンテンツ記録部１２は、番組非依存コンテンツ抽出部１１より供給された番組非依存コンテンツをコンテンツ蓄積部１６に記録する。
【００３６】
番組依存コンテンツ抽出部１３は、上述したバッファに格納されたデータ放送コンテンツから番組依存コンテンツを抽出する。番組依存コンテンツとは、データ放送コンテンツのうち、対応する番組コンテンツの内容に関連するもののことを指す。番組依存コンテンツ抽出部１３によって抽出された番組依存コンテンツは、番組依存コンテンツ記録部１４に供給される。番組依存コンテンツ記録部１４は、番組依存コンテンツ抽出部１３より供給された番組依存コンテンツをコンテンツ蓄積部１６に記録する。
【００３７】
番組コンテンツ記録部１５は、受信部１０によって復調されたデータストリームを、コンテンツ蓄積部１６に記録する。受信部１０が複数のチューナを含んで構成されている場合には、受信部１０によって並列的に復調された複数のデータストリームの各々をコンテンツ蓄積部１６に記録する。
【００３８】
コンテンツ蓄積部１６は、番組コンテンツおよびデータ放送コンテンツを蓄積するための記録装置であり、例えば、ＨＤ（Hard Disk）ドライブ、ＳＳＤ（Solid State Disk）ドライブ、ＤＶＤ（Digital Versatile Disk）ドライブ、ＢＤ（Blu-ray Disk：登録商標）ドライブなどである。なお、コンテンツ蓄積部１６は、単一の記録装置によって構成してもよいし、複数の記録装置によって構成してもよい。後者の場合、番組コンテンツとデータ放送コンテンツとを異なる記録装置に記録する構成（例えば、番組コンテンツをＨＤドライブ又はＢＤドライブに記録し、データ放送コンテンツをＳＳＤドライブに記録する構成など）を採用してもよい。
【００３９】
番組非依存コンテンツ読出／再生部１７は、番組非依存コンテンツをコンテンツ蓄積部１６から読み出す。特に、番組非依存コンテンツが符号化されている場合には、その符号化データをデコードすることによって、番組非依存コンテンツを得る。番組非依存コンテンツ読出／再生部１７によって得られた番組非依存コンテンツは、コンテンツ描画部２０に供給される。この際、番組非依存コンテンツ読出／再生部１７は、読み出した又はデコードした番組非依存コンテンツを加工してコンテンツ描画部２０に供給してもよい。なお、番組非依存コンテンツ読出／再生部１７が読み出すべき番組非依存コンテンツを選択する方法については、参照する図面を代えて後述する。
【００４０】
番組依存コンテンツ読出／再生部１８は、番組依存コンテンツをコンテンツ蓄積部１６から読み出す。特に、番組コンテンツが符号化されている場合には、その符号化データをデコードすることによって、番組依存コンテンツを得る。番組依存コンテンツ読出／再生部１８によって得られた番組依存コンテンツは、コンテンツ描画部２０に供給される。この際、番組依存コンテンツ読出／再生部１８は、読み出した又はデコードした番組依存コンテンツを加工してコンテンツ描画部２０に供給してもよい。
【００４１】
番組コンテンツ読出／再生部１９は、番組コンテンツをコンテンツ蓄積部１６から読み出して再生する。ここで、番組コンテンツを再生するとは、例えば、番組コンテンツを表すデータストリームをデコードすることによって、その番組コンテンツを表す映像信号を生成することである。番組コンテンツ読出／再生部１９によって得たれた番組コンテンツを表す映像信号は、コンテンツ描画部２０に供給される。
【００４２】
コンテンツ描画部２０は、番組非依存コンテンツ、番組依存コンテンツ、および番組コンテンツを含む画面を生成する。コンテンツ描画部２０による画面の生成は、例えば、番組非依存コンテンツ読出／再生部１７、番組依存コンテンツ読出／再生部１８、および番組コンテンツ読出／再生部１９から供給された番組非依存コンテンツ、番組依存コンテンツ、および番組コンテンツを整形して画面に描画することによって実現される。コンテンツ描画部２０によって生成された画面は、テレビジョン受像機やＰＣモニタなどの表示端末２に供給される。
【００４３】
〔データ放送コンテンツの具体例〕
データ放送コンテンツには、ＢＭＬコンテンツと非ＢＭＬコンテンツとがある。ここで、ＢＭＬコンテンツとは、ＢＭＬ文書と、そのＢＭＬ文書から参照されるモノメディアデータとにより構成されたマルチメディアコンテンツのことを指す。また、非ＢＭＬコンテンツとは、ＢＭＬコンテンツ以外のデータ放送コンテンツのことを指し、例えば、番組情報（又は番組詳細情報）等のテキストデータがこれに該当する。
【００４４】
ＢＭＬコンテンツには、様々な情報が含まれる。ＢＭＬコンテンツに含まれる個々の情報のことを、本明細書では「サブコンテンツ」と呼ぶ。このサブコンテンツには、対応する番組コンテンツの内容と関連しないものと、対応する番組コンテンツの内容と関連するものとがある。また、非ＢＭＬコンテンツも、対応する番組コンテンツの内容と関連しないものと、対応する番組コンテンツの内容と関連するものとがある。
【００４５】
本明細書においては、データ放送コンテンツのうち、対応する番組コンテンツの内容と関連しないもののことを、それがＢＭＬコンテンツのサブコンテンツとして提供されたものであるか、非ＢＭＬコンテンツとして提供されたものであるかを問わず、「番組非依存コンテンツ」と呼ぶ。また、データ放送コンテンツのうち、対応する番組コンテンツの内容と関連するもののことを、それがＢＭＬコンテンツのサブコンテンツとして提供されたものであるか、非ＢＭＬコンテンツとして提供されたものであるかを問わず、「番組依存コンテンツ」と呼ぶ。
【００４６】
以下、番組非依存コンテンツおよび番組依存コンテンツについて、具体例を挙げて説明する。
【００４７】
まず、番組非依存コンテンツの具体例について、図２を参照して説明する。番組非依存コンテンツとしては、例えば、以下のものが挙げられる。以下に列挙する情報は、ＢＭＬコンテンツに含まれるサブコンテンツとして提供されるか、非ＢＭＬコンテンツとして提供されるかを問わず、番組非依存コンテンツである。
【００４８】
（１）天候情報：天気予報や週間天気予報などがこれに該当する。天気予報は、時間帯毎（例えば３時間毎）の天気、降水量、気温等により構成される。また、週間天気予報は、日毎の天気、最高気温、最低気温、降水確率等により構成される。天候情報には、洗濯指数、花粉情報、雷情報、台風情報、電力予想、放射能情報、火山灰情報等の関連情報を含めてもよい。天候情報の一例として、典型的な天気予報を図２（ａ）に示す。
【００４９】
（２）休日・夜間診療情報：休日診療又は夜間診療に関する情報であり、診療所名、住所、電話番号、（曜日毎の）受付時間、備考等により構成される。休日・夜間診療情報には、診療科目を含めてもよい。また、曜日毎に夜間診療が持ち回りされている地域では、当番日を含めるとよい。典型的な休日・夜間診療情報を図２（ｂ）に示す。
【００５０】
（３）防災情報：地震情報、津波情報、火山情報、台風情報、防災関連情報がこれに該当する。防災情報の一例として、典型的な防災関連情報を図２（ｃ）に示す。なお、図２（ｃ）に示す防災関連情報は、防災行政無線を用いて通知した情報をデータ放送を用いて再通知するためのものである。
【００５１】
（４）交通情報：列車運行情報や渋滞情報などがこれに該当する。交通情報の例として、典型的な列車運行情報を図２（ｄ）に示す。
【００５２】
（５）地域イベント情報：特定の地域で開催されるイベントに関する情報であり、イベント名、開催期間、連絡先等により構成される。地域イベント情報には、開催地の住所や開催地周辺の地図などが含まれていてもよい。地域イベント情報の具体例を図２（ｅ）に示す。
【００５３】
（６）自治体からの通知：自治体から通知される情報であり、内容は特に限定されない。典型的な自治体からの通知を図２（ｆ）に示す。
【００５４】
（７）その他の情報：店舗情報や株価情報などがこれに該当する。店舗情報は、特定の地域に存在する店舗（レストラン、ケーキ店、喫茶店、洋服店、小物店など）に関する情報であり、店舗名、住所、電話番号、商品写真等により構成される。店舗情報には、店舗周辺の地図などが含まれていてもよい。なお、飲食店に関する店舗情報は、グルメ情報と呼ばれることもある。
【００５５】
次に、番組依存コンテンツの具体例について、図３を参照して説明する。
【００５６】
図３は、料理番組に対応するＢＭＬコンテンツ３０を示す図である。このＢＭＬコンテンツ３０には、図３に示すように、材料を示すサブコンテンツ３１と、作り方を示すサブコンテンツ３２とが含まれる。これらのサブコンテンツ３１〜３２は、何れも、番組コンテンツ（料理番組）の内容に関連する番組依存コンテンツである。
【００５７】
なお、図３においては、ＢＭＬコンテンツのサブコンテンツとして提供される番組依存コンテンツを例示したが、番組依存コンテンツはこれに限定されない。すなわち、非ＢＭＬコンテンツとして提供される番組依存コンテンツも存在する。例えば、番組情報（又は番組詳細情報）を表すテキストデータは、非ＢＭＬコンテンツとして提供される番組依存コンテンツの一例である。
【００５８】
なお、番組依存コンテンツは、対応する番組コンテンツに同期して放送されるものの他に、対応する番組コンテンツと同期せずに放送されるものとがある。例えば、毎週金曜日の午後９時に放送される番組コンテンツに対応する番組依存コンテンツが毎日放送されるケースがこれに該当する。このような番組依存コンテンツは、適当なタイミングでその内容が更新される。例えば、毎週金曜日の午後９時に放送される番組コンテンツに対応する番組依存コンテンツが毎週日曜日の午前１１時に更新される。この場合、金曜日の午後９時を含めて日曜日の午前１１時までは、前回放送された番組コンテンツの内容に関連する番組依存コンテンツが放送される。例えば、木曜日の午後８時には、前回放送された番組コンテンツの内容に関連する番組依存コンテンツが放送される。なお、このような番組依存コンテンツと番組コンテンツとの紐付けは、例えば、再放送された番組依存コンテンツに含まれる単語と、番組コンテンツのタイトルまたは番組情報（又は番組詳細情報）に含まれる単語とのマッチングに基づいて行なわれる。
【００５９】
〔コンテンツ記録機能の概要〕
次に、記録再生装置１のコンテンツ記録機能の概要について、図４を参照して説明する。図４は、記録再生装置１のコンテンツ記録機能の概要を示す概念図である。
【００６０】
デジタル放送では、上述したように、番組コンテンツと同時に、対応するデータ放送コンテンツが放送される。図４に示す例のチャンネルＡでは、番組コンテンツＡ１と同時に、番組依存コンテンツＡ１と番組非依存コンテンツＡ１〜Ａ２（イベント情報１〜２）とを含むデータ放送コンテンツが放送され、番組コンテンツＡ２と同時に、番組依存コンテンツＡ２と番組非依存コンテンツＡ１〜Ａ２とを含むデータ放送コンテンツが放送されている。
【００６１】
同様に、図４に示すチャンネルＢでは、番組コンテンツＢ１と同時に、番組依存コンテンツＢ１と番組非依存コンテンツＢ（天候情報）とを含むデータ放送コンテンツが放送され、番組コンテンツＢ２と同時に、番組依存コンテンツＢ２と番組非依存コンテンツＢとを含むデータ放送コンテンツが放送されている。また、図４に示すチャンネルＣでは、番組コンテンツＣ１と同時に、番組依存コンテンツＣ１と番組非依存コンテンツＣ（休日・夜間診療情報）とを含むデータ放送コンテンツが放送され、番組コンテンツＣ２と同時に、番組依存コンテンツＣ２と番組非依存コンテンツＣとを含むデータ放送コンテンツが放送されている。
【００６２】
記録再生装置１においては、受信部１０が番組コンテンツＡ１〜Ａ２と同時に受信したデータ放送コンテンツから、番組非依存コンテンツ抽出部１１が番組非依存コンテンツＡ１〜Ａ２を抽出し、番組依存コンテンツ抽出部１３が番組依存コンテンツＡ１〜Ａ２を抽出する。そして、番組非依存コンテンツＡ１〜Ａ２および番組依存コンテンツＡ１〜Ａ２は、番組非依存コンテンツ記録部１２および番組依存コンテンツ記録部１４によってコンテンツ蓄積部１６に記録される。
【００６３】
同様に、受信部１０が番組コンテンツＢ１〜Ｂ２と同時に受信したデータ放送コンテンツから、番組非依存コンテンツ抽出部１１が番組非依存コンテンツＢを抽出し、番組依存コンテンツ抽出部１３が番組依存コンテンツＢ１〜Ｂ２を抽出する。そして、番組非依存コンテンツＢおよび番組依存コンテンツＢ１〜Ｂ２は、番組非依存コンテンツ記録部１２および番組依存コンテンツ記録部１４によってコンテンツ蓄積部１６に記録される。また、受信部１０が番組コンテンツＣ１〜Ｃ２と同時に受信したデータ放送コンテンツから、番組非依存コンテンツ抽出部１１が番組非依存コンテンツＣを抽出し、番組依存コンテンツ抽出部１３が番組依存コンテンツＣ１〜Ｃ２を抽出する。そして、番組非依存コンテンツＣおよび番組依存コンテンツＣ１〜Ｃ２は、番組非依存コンテンツ記録部１２および番組依存コンテンツ記録部１４によってコンテンツ蓄積部１６に記録される。
【００６４】
なお、番組非依存コンテンツ抽出部１１および番組非依存コンテンツ記録部１２による番組非依存コンテンツの抽出・記録処理の具体例については、参照する図面を代えて後述する。
【００６５】
〔番組非依存コンテンツの抽出・記録処理の具体例〕
次に、番組非依存コンテンツの抽出・記録処理の具体例について、図５について説明する。図５は、番組非依存コンテンツの抽出・記録処理の具体例を示すフローチャートである。図５に示す番組非依存コンテンツの抽出・記録処理は、地域イベント情報を抽出・記録するためのものであり、以下のステップにより構成される。
【００６６】
ステップＳ１１：まず、番組非依存コンテンツ抽出部１１によって、予め記録再生装置１内に保存された機器内地域識別コードが読み出される。機器内地域識別コードは、使用地域を示す情報であり、ここでは、使用地域の郵便番号を機器内識別コードとして利用する。
【００６７】
なお、使用地域の郵便番号を機器内地域識別コードとして利用する構成に代えて、使用地域の住所を機器内地域識別コードとして利用する構成を採用してもよい。使用地域の住所は、住所／郵便番号変換テーブルを参照することによって、使用地域の郵便番号に変換することが可能だからである。
【００６８】
ステップＳ１２：次に、受信部１０によって、予め記録再生装置１内に保存された番組非依存コンテンツ取得放送局情報が読み出される。番組非依存コンテンツ取得放送局情報は、番組非依存コンテンツの取得先とする放送局を示す情報であり、例えば、チャンネル番号である。
【００６９】
ステップＳ１３：続いて、受信部１０によって、ステップＳ１２にて取得した番組非依存コンテンツ取得放送局情報が示す放送局が選局される。更に、受信部１０によって、その放送局から放送された放送波に重畳されたデータストリームが復調され、そのデータストリームからデータ放送コンテンツが逆多重化される。逆多重化されたデータ放送コンテンツは、バッファに格納される。なお、ステップＳ１３は、少なくとも全てのデータ放送コンテンツ（１データカルーセル分のデータ放送コンテンツ）がバッファに格納されるまで継続される。
【００７０】
ステップＳ１４：番組非依存コンテンツ抽出部１１によって、ステップＳ１１にて読み出した機器内地域識別コードに適合するコンテンツ内地域識別コードが特定される。ここで、コンテンツ内地域識別コードは、データ放送コンテンツの配信対象地域（受信地域）を示す情報であり、標準地域コード（統計に用いるために総務省が定めた識別コード）または独自識別コードをコンテンツ内地域識別コードとして利用する。コンテンツ内地域識別コードとして標準地域コードを用いた場合、機器内地域識別コードに適合するコンテンツ内地域識別コードの特定は、郵便番号と標準地域コードとの対応関係を定めた変換テーブルを参照することによって行なえばよい。
【００７１】
ステップＳ１５：続けて、番組非依存コンテンツ抽出部１１によって、ステップＳ１４にて特定したコンテンツ内地域識別コードに適合するサブコンテンツが地域イベント情報として抽出される。ここで、コンテンツ内地域識別コードに適合するサブコンテンツとは、バッファに格納されたデータ放送コンテンツのうち、ステップＳ１４にて特定したコンテンツ内地域識別コード同一のコンテンツ内地域識別コードを含み持つデータ放送コンテンツのことを指す。
【００７２】
ステップＳ１５にて抽出した地域イベント情報は、番組非依存コンテンツ抽出部１１から番組非依存コンテンツ記録部１２に供給される。番組非依存コンテンツ記録部１２は、番組非依存コンテンツ抽出部１１から供給される地域イベント情報の各々を対象地域イベント情報として、以下に説明するステップＳ１６〜Ｓ１９を実行する。
【００７３】
ステップＳ１６：まず、番組非依存コンテンツ記録部１２によって、対象地域イベント情報が既にコンテンツ蓄積部１６に記録済みであるか否かが判定される。対象地域イベント情報が既にコンテンツ蓄積部１６に記録済みである場合、以下のステップＳ１７〜Ｓ１９はスキップされる。
【００７４】
ステップＳ１７：番組非依存コンテンツ記録部１２によって、対象地域イベント情報が表すイベントのイベント開催期間が特定される。イベント開催期間の開始日は、例えば、対象地域イベント情報から所定のパターン（「○月×日〜」や「○月×日から」など）にマッチする文字列を抽出することによって特定できる。また、イベント開催期間の終了日は、例えば、対象地域イベント情報から所定のパターン（「〜○月×日」や「○月×日まで」など）にマッチする文字列を抽出することによって特定できる。
【００７５】
ステップＳ１８：番組非依存コンテンツ記録部１２によって、ステップＳ１７にて特定されたイベント開催期間に応じた情報表示期間（後述する番組コンテンツ選択画面６０等に対象地域イベント情報を表示すべき期間）が設定される。情報表示期間の開始日は、例えば、ステップＳ１７にて特定されたイベント開催期間の開始日の７日前に設定される。一方、情報表示期間の終了日は、例えば、ステップＳ１７にて特定されたイベント開催期間の終了日その日に設定される。
【００７６】
ステップＳ１９：番組非依存コンテンツ記録部１２によって、対象地域イベント情報がコンテンツ蓄積部１６に記録される。この際、ステップＳ１７にて設定された情報表示期間も、対象地域イベント情報と関連付けてコンテンツ蓄積部１６に記録される。
【００７７】
なお、地域識別コードと期間情報とを含む番組非依存コンテンツであれば、地域イベント情報以外の番組非依存コンテンツであっても、図５に示す抽出・記録処理によって同様に抽出・記録することができる。また、天候情報のように観測所番号を含む番組非依存コンテンツであれば、図５に示す抽出・記録処理において地域識別コードを観測所番号に置き換えたものによって、同様に抽出・記録することができる。
【００７８】
〔番組コンテンツ選択機能の概要〕
記録再生装置１は、番組コンテンツ選択画面を表示端末２に表示することによって、再生対象とする番組コンテンツをユーザに選択させる番組コンテンツ選択機能を有している。以下、この番組コンテンツ選択機能について、図６を参照して説明する。
【００７９】
図６は、番組コンテンツ選択画面６０を示す図である。番組コンテンツ選択画面６０は、図６に示すように、サムネイル画像表示領域６１と、番組非依存コンテンツ表示領域６２とを含んでいる。
【００８０】
サムネイル画像表示領域６１は、コンテンツ蓄積部１６に蓄積された番組コンテンツの何れかに対応するサムネイル画像（静止画像であっても動画像であってもよい）を表示するための領域である。サムネイル画像表示領域６１に表示されるサムネイル画像は、データ放送コンテンツとして放送局から提供されたものであってもよいし、番組コンテンツから抽出するなどして記録再生装置１が生成したものであってもよい。
【００８１】
ユーザは、例えば、リモコンの十字キーを操作することによって、サムネイル画像表示領域６１に表示されるサムネイル画像を切り換えることができる。また、例えば、リモコンの決定ボタンを押下することによって、サムネイル画像表示領域６１に表示されているサムネイル画像に対応する番組コンテンツを、再生対象とする番組コンテンツとして選択することができる。
【００８２】
番組非依存コンテンツ表示領域６２は、コンテンツ蓄積部１６に蓄積された番組非依存コンテンツのうち、表示対象として記録再生装置１が選択した番組非依存コンテンツを表示するための領域である。図６に示す番組コンテンツ選択画面６０は、図４に示す番組非依存コンテンツＡ１〜Ａ２（地域イベント情報１〜２）、番組非依存コンテンツＢ（天候情報）、および番組非依存コンテンツＣ（休日・夜間診療情報）が表示対象として記録再生装置１により選択されたときのものである。
【００８３】
このような番組コンテンツ選択画面６０の表示は、以下のような記録再生装置１の動作によって実現される。
【００８４】
すなわち、番組コンテンツ選択画面６０の表示を指示するユーザ操作を受け付けると、番組非依存コンテンツ読出／再生部１７は、（１）表示すべき番組非依存コンテンツＡ１〜Ａ２，Ｂ，Ｃを選択し、（２）選択した番組非依存コンテンツをコンテンツ蓄積部１６から読み出し、（３）読み出した番組非依存コンテンツをコンテンツ描画部２０に供給する。そして、コンテンツ描画部２０は、番組非依存コンテンツ読出／再生部１７から供給された番組非依存コンテンツＡ１〜Ａ２，Ｂ，Ｃを番組非依存コンテンツ表示領域６２に描画することによって、図６に示す番組コンテンツ選択画面６０を生成する。
【００８５】
図６において注目すべきは、番組コンテンツＡ１〜Ａ２，Ｂ１〜Ｂ２、Ｃ１〜Ｃ２が再生されていないにも関わらず、対応する番組非依存コンテンツＡ１〜Ａ２、Ｂ、Ｃが表示されている点である。すなわち、番組コンテンツの再生と、対応する番組非依存コンテンツの表示とが独立に行われている点である。
【００８６】
このような構成を採用した場合、例えば、番組コンテンツの再生を行なわない場合であっても、その番組コンテンツに対応する番組非依存コンテンツの表示を行うことができる。これにより、従来、ユーザに閲覧される機会の少なかった情報をユーザに提供することが可能になる。
【００８７】
なお、ここでは、再生対象とする番組コンテンツを選択する際に、サムネイル画像と共に番組非依存コンテンツを表示する構成を示したが、番組非依存コンテンツを表示するシーンはこれに限定されない。例えば、受信した番組コンテンツをリアルタイム再生する際に、受信した番組コンテンツの再生映像と共に番組非依存コンテンツを表示する構成を採用してもよい。この場合、番組コンテンツ選択画面６０を表示端末２に表示させる代わりに、番組コンテンツ選択画面６０においてサムネイル画像表示領域６１を再生映像表示領域に置き換えた表示画面を表示端末２に表示させるとよい。これにより、ユーザは、リアルタイム再生された番組コンテンツを視聴しながら、コンテンツ蓄積部１６に蓄積された番組非依存コンテンツを閲覧することが可能になる。
【００８８】
〔番組非依存コンテンツの選択・表示処理の具体例〕
次に、番組非依存コンテンツの選択・表示処理の具体例について、図７について説明する。図７は、番組非依存コンテンツの選択・表示処理の具体例を示すフローチャートである。図７に示す番組非依存コンテンツの選択・表示処理は、コンテンツ蓄積部１６に蓄積された地域イベント情報（番組非依存コンテンツ）群から、図６に示す番組非依存コンテンツ表示領域６２に表示すべき地域イベント情報を選択するためのものであり、以下のステップにより構成される。
【００８９】
ステップＳ２１：番組コンテンツ選択画面６０の表示がユーザにより指示されると、番組非依存コンテンツ読出／再生部１７によって、現在日時が取得される。
【００９０】
現在日時の取得が完了すると、番組非依存コンテンツ読出／再生部１７は、コンテンツ蓄積部１６に記録されている地域イベント情報の各々を対象地域イベント情報として、以下に説明するステップＳ２２〜Ｓ２４を実行する。
【００９１】
ステップＳ２２：番組非依存コンテンツ読出／再生部１７によって、対象地域イベント情報に関連付けられた情報表示期間がコンテンツ蓄積部１６から読み出される。
【００９２】
ステップＳ２３：番組非依存コンテンツ読出／再生部１７によって、ステップＳ２１にて取得した現在日時がステップＳ２２にて読み出した情報表示期間に含まれているか否かが判定される。ステップＳ２１にて取得した現在日時がステップＳ２２にて読み出した情報表示期間に含まれていないと判定された場合、以下のステップＳ２３はスキップされる。
【００９３】
ステップＳ２４：番組非依存コンテンツ読出／再生部１７によって、対象地域イベント情報がコンテンツ蓄積部１６から読み出される。番組非依存コンテンツ読出／再生部１７によって読み出された対象地域イベント情報は、コンテンツ描画部２０によってコンテンツ視聴画面６０の番組非依存コンテンツ表示領域６２に表示される。
【００９４】
なお、表示期間と関連付けて格納された番組非依存コンテンツであれば、地域イベント情報以外の番組非依存コンテンツであっても、図７に示す選択・表示処理によって同様に選択・表示することができる。
【００９５】
〔他の番組コンテンツ選択画面〕
記録再生装置１は、図６に示す番組コンテンツ選択画面６０に代えて、図８に示す他の番組コンテンツ選択画面８０を表示端末２に表示することもできる。以下、この番組コンテンツ選択画面８０について、図８を参照して説明する。
【００９６】
番組コンテンツ選択画面８０は、図８に示すように、ジャンル選択領域８１と、ジャンル表示領域８２と、番組コンテンツ選択領域８３と、ＢＭＬコンテンツ縮小表示領域８４と、番組要約情報表示領域８５と、サブコンテンツ拡大表示領域８６と、天候情報表示領域８７と、番組非依存コンテンツ表示領域８８とを含んでいる。
【００９７】
ジャンル選択領域８１には、予め定められた複数のジャンルを選択候補とし、これらの選択候補から１つのジャンルをユーザに選択させるためのＵＩ（User Interface）が表示される。図８に示した例では、選択候補となる各ジャンルのジャンル名が記載されたパネルが仮想３次元空間内に奥行きをもって配置されたＵＩがジャンル選択領域８１に表示されている。このＵＩにおいては、ユーザにより選択されたジャンル名が記載されたパネルが最前面に配置される。
【００９８】
ジャンル表示領域８２には、ジャンル選択領域８１において選択されたジャンルのジャンル名が表示される。図８に示した例では、「ジャンル１」がジャンル表示領域８２に表示されている。
【００９９】
番組コンテンツ選択領域８３には、コンテンツ蓄積部１６に記録されている番組コンテンツのうち、ジャンル選択領域８１において選択されたジャンルに属する番組コンテンツを選択候補とし、これらの選択候補から１つの番組コンテンツをユーザに選択させるためのＵＩが表示される。図８に示した例では、選択候補となる各番組コンテンツのタイトルが記載されたボタンが格子状に配置されたＵＩが番組コンテンツ選択領域８３に表示されている。このＵＩにおいては、ユーザにより選択された（カーソルが合わせられた）タイトルが記載されたボタンが強調表示される。
【０１００】
ＢＭＬコンテンツ縮小表示領域８４には、番組コンテンツ選択領域８３において選択された番組コンテンツに対応するＢＭＬコンテンツが縮小表示される。図８に示した例では、地図（画像）、説明（テキスト）、およびサムネイル動画を含むＢＭＬコンテンツがＢＭＬコンテンツ縮小表示領域８４に縮小表示されている。
【０１０１】
番組要約情報表示領域８５には、番組コンテンツ選択領域８３において選択された番組コンテンツに対応する番組要約情報が表示される。また、この番組要約情報にＵＲＬが含まれている場合、番組要約情報表示領域８５には、「ＨＰ（ホームページ）」ボタンも表示される。この「ＨＰ（ホームページ）」ボタンが押下されると、記録再生装置１は、番組要約情報に含まれるＵＲＬにより指定されたウェブページの表示を開始する。また、番組要約情報表示領域８５には、「再生」ボタンも表示される。「再生」ボタンが押下されると、記録再生装置１は、番組コンテンツ選択領域８３において選択された番組コンテンツの再生を開始する。
【０１０２】
なお、番組要約情報表示領域８５に表示する番組要約情報は、データ放送コンテンツとは別に放送または配信されたものであってもよいし、ＢＭＬコンテンツから抽出したものであってもよい。なお、データ放送コンテンツとは別に放送または配信される番組要約情報としては、例えば、ＡＤＡＭＳ−ＥＰＧやＧガイド（登録商標）などが挙げられる。
【０１０３】
番組要約情報表示領域８５には、更に、ＢＭＬコンテンツ縮小表示領域８４に縮小表示されているＢＭＬコンテンツに含まれる各サブコンテンツに対応するボタン（図８に示した例では、「地図」ボタン、「説明」ボタン、「動画」ボタン）も表示される。これらのボタンの何れかが押下されると、記録再生装置１は、押下されたボタンに対応するサブコンテンツをサブコンテンツ拡大表示領域８６に拡大表示する。図８に示した例では、地図（画像）がサブコンテンツ拡大表示領域８６に拡大表示されている。
【０１０４】
天候情報表示領域８７には、コンテンツ蓄積部１６に番組非依存コンテンツとして記録されている天候情報が表示される。天候情報表示領域８７に表示される天候情報は、現在選択されている番組コンテンツに対応する天候情報であることを要さない。また、天候情報表示領域８７には、図８に示すように、その日の日付やその時の時刻などを併せて表示するとよい。
【０１０５】
番組非依存コンテンツ表示領域８８には、コンテンツ蓄積部１６に蓄積されている番組非依存コンテンツのうち、ユーザにより選択された番組非依存コンテンツが表示される。図８に示した例では、「今日の情報」ボタン、「ニュース」ボタン、「イベント」ボタン、「休日診療」ボタンが表示され、更に、押下されたボタンに対応する番組非依存コンテンツ（図８に示した例では、地域イベント情報）が表示されている。
【０１０６】
なお、番組コンテンツ選択領域８３において、ユーザが何れかのタイトルを選択すると、上述したジャンル表示領域８２に「保存」ボタンおよび「転送」ボタンが表示される。「保存」ボタンが押下されると、記録再生装置１は、現在表示されている番組コンテンツ選択画面８０を再現するために必要となる構成情報一式を内部記録媒体又は外部記録媒体に保存する。また、「転送」ボタンが押下されると、記録再生装置１は、現在表示されている番組コンテンツ選択画面８０を再生するのに必要となるデータ一式を携帯電話端末等に転送する。
【０１０７】
以上のように、番組コンテンツ選択画面８０は、再生対象とする番組コンテンツをユーザに選択させるために、番組要約情報を提示することを主眼としたものであり、番組コンテンツの再生を主眼とした従来の記録再生装置には存在しなかったものである。番組コンテンツ選択画面８０を用いることによって、コンテンツ蓄積部１６に蓄積されている番組コンテンツに関する番組要約情報を、あたかも雑誌をめくるような感覚で閲覧することが可能である。そして、この番組コンテンツ選択画面８０において視聴したい番組コンテンツを見つけた場合には、上述した「再生」ボタンを押下することによって、その番組コンテンツを視聴することもできる。
【０１０８】
〔変形例１〕
最後に、図１に示す記録再生装置１の構成の変形例について、図９〜図１１を参照して説明する。図９〜図１１は、それぞれ、記録再生装置１の変形例を示すブロック図である。
【０１０９】
図９に示した変形例では、記録再生装置１と表示端末２とがＨＤＭＩ（登録商標）ケーブルによって接続される。このため、記録再生装置１および表示端末２には、それぞれ、ＨＤＭＩインタフェース９１〜９２が設けられる。
【０１１０】
この場合、番組コンテンツは、ＨＤＭＩケーブルのＴＭＤＳチャンネルを介して映像信号／音声信号として伝送されるのに対し、データ放送コンテンツは、ＨＤＭＩケーブルのＥｔｈｅｒｎｅｔ（登録商標）チャンネル（ＨＥＣ：HDMI Ethernet Channel）を介して符号化データとして伝送される。このため、番組非依存コンテンツ読出／再生部１７および番組依存コンテンツ読出／再生部１８は、記録再生装置１内ではなく、表示端末２内に設けられる。
【０１１１】
なお、記録再生装置１と表示端末２との有線接続媒体は、ＨＤＭＩケーブルに限定されず、Ｄ端子ケーブルやＲＣＡケーブルであってもよい。また、ＭＨＬ（Mobile High-definition Link）（出願済商標）を用いて記録再生装置１と表示端末２とを接続してもよい。この場合、記録再生装置１と表示端末２との接続は、無線接続であってもよい。
【０１１２】
図１０に示した変形例では、記録再生装置１と表示端末２とが無線ＬＡＮによって接続される。このため、記録再生装置１および表示端末２には、無線ＬＡＮインタフェース１０１〜１０２が設けられる。もちろん、無線ＬＡＮ接続に代えて、有線ＬＡＮ接続を用いてもよい。また、ＰＬＣ（Power Line Control）を用いた電力線通信を用いてもよい。
【０１１３】
この場合、番組コンテンツおよびデータ放送コンテンツは、無線ＬＡＮを介して符号化データとして伝送される。このため、番組非依存コンテンツ読出／再生部１７、番組依存コンテンツ読出／再生部１８、および番組コンテンツ読出／再生部１９は、記録再生装置１内ではなく、表示端末２内に設けられる。
【０１１４】
図１１に示した変形例では、図１０に示した例と同様、記録再生装置１と表示端末２とが無線ＬＡＮによって接続される。このため、記録再生装置１および表示端末２には、無線ＬＡＮインタフェース１０１〜１０２が設けられる。
【０１１５】
ただし、記録再生装置１内に番組コンテンツ変換部１１０を設け、番組コンテンツをデコード負荷の低い符号化データに低解像度化してから表示端末２に送出する構成を採用している。このため、番組コンテンツの伝送に利用できる帯域幅が狭い場合、あるいは、表示端末２内に設けられた番組コンテンツ読出／再生部１９のデコード能力が低い場合にも、番組コンテンツを途切れることなく再生することができる。
【０１１６】
なお、図１０および図１１においては、記録再生装置１と表示端末２とを接続する無線通信の規格として、無線ＬＡＮ（ＩＥＥＥ８０２．１１シリーズ）を例示したが、これに限定されるものではない。例えば、無線ＬＡＮ（ＩＥＥＥ８０２．１１シリーズ）の代わりに、ＷｉｒｅｌｅｓｓＨＤ（登録商標）を用いてもよい。
【０１１７】
〔変形例２〕
以上のように、本実施形態に係る記録再生装置１は、これまでユーザによって閲覧される機会の少なかったデータ放送コンテンツを効果的にユーザに提示するという目的を達成するために、以下の構成を備えている。すなわち、（１）データストリームを受信する受信部１０と、（２）上記データストリームに含まれる番組コンテンツをコンテンツ蓄積部１６に記録する番組コンテンツ記録部１５と、（３）上記データストリームに含まれるデータ放送コンテンツであって、上記番組コンテンツに対応するデータ放送コンテンツを上記コンテンツ蓄積部１６に記録する番組非依存コンテンツ記録部１２又は番組依存コンテンツ記録部１４と、（４）上記コンテンツ蓄積部１６に記録された番組コンテンツを再生する番組コンテンツ読出／再生部１９と、（５）上記コンテンツ蓄積部１６に記録されたデータ放送コンテンツを読み出す番組非依存コンテンツ読出／再生部１７又は番組依存コンテンツ読出／再生部１８と、（６）上記番組コンテンツ読出／再生部１９による番組コンテンツの再生とは独立に、上記番組非依存コンテンツ読出／再生部１７又は番組依存コンテンツ読出／再生部１８が上記番組コンテンツ記録部１５から読み出したデータ放送コンテンツを表示するコンテンツ描画部２０とを備えている。
【０１１８】
しかしながら、本実施形態に係る記録再生装置１から番組コンテンツ記録再生機能を省略したデータ放送コンテンツ記録再生装置を、番組コンテンツ記録再生機能を有する番組コンテンツ記録再生装置（従来のテレビジョン受像機やレコーダ装置等）と併用することによっても上記の目的を達成することができる。
【０１１９】
このデータ放送コンテンツ記録再生装置は、例えば、（ａ）データストリームを受信する受信手段と、（ｂ）上記データストリームに含まれるデータ放送コンテンツであって、各番組コンテンツに対応するデータ放送コンテンツをコンテンツ蓄積部に記録するデータ放送コンテンツ記録手段と、（ｃ）上記コンテンツ蓄積部に記録されたデータ放送コンテンツを読み出すデータ放送コンテンツ読出手段と、（ｄ）上記番組コンテンツの再生とは独立に、上記データ放送コンテンツ読出手段が上記コンテンツ蓄積部から読み出したデータ放送コンテンツを表示するデータ放送コンテンツ表示手段と、により構成することができる。
【０１２０】
ここで、（ａ）受信手段は、例えば、本実施形態における受信部１０と同様に構成すればよい。また、（ｂ）データ放送コンテンツ記録手段は、例えば、本実施形態における番組非依存コンテンツ記録部１２又は番組依存コンテンツ記録部１４と同様に構成すればよい。また、（ｃ）データ放送コンテンツ読出手段は、例えば、本実施形態における番組非依存コンテンツ読出／再生部１７又は番組依存コンテンツ読出／再生部１８と同様に構成すればよい。また、（ｄ）データ放送コンテンツ表示手段は、例えば、本実施形態におけるコンテンツ描画部２０と同様に構成すればよい。
【０１２１】
以下、図１２を参照して、このようなデータ放送コンテンツ記録再生装置の構成例を説明する。図１２は、図１に示す記録再生装置１のさらなる変形例を示すブロック図である。図１２は、図１に示す記録再生装置１から番組コンテンツ記録再生機能を省略したものを示している。
【０１２２】
すなわち、図１２に示す記録再生装置１は、番組コンテンツを記録部１５および番組コンテンツ読出／再生部１９を備えていない点で、図１に示す記録再生装置１と異なる。図１２に示す記録再生装置１は、上記相違点以外は、図１に示す記録再生装置１と同様である。
【０１２３】
従って、図１２に示す記録再生装置１では、コンテンツ蓄積部１６には、データ放送コンテンツは蓄積されるが、番組コンテンツ（具体的には、受信部１０によって復調されたデータストリーム）が蓄積されない。また、コンテンツ描画部２０は、データ放送コンテンツを含む画面は生成するが、番組コンテンツを含む画面は生成しない。すなわち、記録再生装置１から表示端末２へは、データ放送コンテンツを含む画面は供給されるが、番組コンテンツを含む画面は供給されない。
【０１２４】
このように、本発明は、番組コンテンツ記録再生機能を有している装置のみならず、番組コンテンツ記録再生機能を有していない装置によっても実施可能である。このように実施した場合であっても、図１に示す記録再生装置１と同様に、番組コンテンツとは独立に、データ放送コンテンツ（番組依存コンテンツおよび番組非依存）を表示端末２に表示させることができる。したがって、図１に示す記録再生装置１と同様に、従来、ユーザに閲覧される機会の少なかったデータ放送コンテンツをユーザに提示することが可能になる、等の効果を奏することができる。
【０１２５】
例えば、各種情報端末（例えば、パーソナルコンピュータ、携帯電話端末、スマートフォン、ＰＤＡ等）を、図１２に示す記録再生装置１と同様の構成とすることにより、当該情報端末によって、番組コンテンツとは独立に、データ放送コンテンツをユーザに提示することが可能となる。
【０１２６】
これにより、ユーザは、情報端末によって提示されたデータ放送コンテンツを参考にして、後にテレビジョン受像機やレコーダなどによって視聴または録画する番組コンテンツを決定しておくことができる。
【０１２７】
これ以外にも、情報端末によって得られたデータ放送コンテンツの利用方法は様々であり、例えば、ユーザは、この情報端末から、インターネットを通じて、データ放送コンテンツに関する任意のメッセージを、ＳＮＳ（Social Network Service）のメッセージ投稿サイト等へ投稿したりすることもできる。
【０１２８】
また、ユーザは、データ放送コンテンツの一部の情報（例えば、料理のレシピ情報や、地図情報等）を、その情報を参照するための専用のアプリケーションにより、必要な時（例えば、買い物時や、旅行中等）に閲覧することもできる。
【０１２９】
また、ユーザは、データ放送コンテンツの一部の情報を切り出し、この情報を任意のアプリケーション用のファイルに埋め込んでおくことにより、必要な時に任意のアプリケーション（例えば、使い慣れたアプリケーション）を利用してこの情報を参照することもできる。
【０１３０】
すなわち、ユーザは、情報端末を利用することにより、テレビジョン受像機やレコーダを操作したり、番組コンテンツを視聴したりすることなく、例え外出先等であっても、データ放送コンテンツを得ることができ、得られたデータ放送コンテンツを有効に利用することが可能となる。
【０１３１】
〔変形例３〕
以下、データ放送コンテンツを取得する処理の変形例について説明する。本実施形態の記録再生装置１（受信部１０）は、１つのチューナによって複数のチャンネルのデータ放送コンテンツを取得するように構成することも可能である。これにより、記録再生装置１は、チャンネル毎のチューナを備えなくとも、複数のチャンネルのデータ放送コンテンツを取得することが可能となる。
【０１３２】
例えば、図１２に示す記録再生装置１では、番組コンテンツ記録再生機能を有さない構成としており、複数の番組コンテンツの同時録画や同時再生を行う必要がないため、相異なるチャンネルを介して同時に放送される複数のデータストリームを並列的に復調する機能が不要である。このため、このような記録再生装置１においては、チャンネル毎のチューナを備えずに、より少ない数（例えば、１つ）のチューナを備える構成が採用され得る。記録再生装置１は、少なくとも１つのチューナを有していれば、以降で説明する手順により、その１つのチューナによって複数のチャンネルのデータ放送コンテンツを取得することが可能である。
【０１３３】
以下、図１３を参照して、１つのチューナによる複数のチャンネルのデータ放送コンテンツを取得する処理の具体例について説明する。図１３は、本実施形態に係る記録再生装置１における、１つのチューナによる複数のチャンネルのデータ放送コンテンツを取得する処理の具体例を示すフローチャートである。
【０１３４】
図１３に示す手順は、要するに、受信部１０が有している１つのチューナによって、データ放送コンテンツの取得対象とされている複数のチャンネルを順次選局し、上記１つのチューナがチャンネルを選局する毎に、番組依存コンテンツ記録部１４が、選局されたチャンネルのデータストリームに含まれる番組依存コンテンツをコンテンツ蓄積部１６に記録し、番組非依存コンテンツ記録部１２が、選局されたチャンネルのデータストリームに含まれる番組非依存コンテンツをコンテンツ蓄積部１６に記録するというものである。
【０１３５】
具体的には、記録再生装置１は、データ放送コンテンツの取得対象とされている複数のチャンネルの各々について、以下に説明するステップＳ３１〜Ｓ３８の処理を行う。
【０１３６】
ステップＳ３１：受信部１０が備える一のチューナ１０によって、一のチャンネルが選局される。これにより、受信部１０は、当該一のチャンネルのデータストリームを受信および復調する。
【０１３７】
ステップＳ３２：受信部１０が、ステップＳ３１で得られたデータストリームに含まれている番組依存コンテンツが、既に取得されているものであるか否かを判断する。
【０１３８】
例えば、受信部１０は、コンテンツ蓄積部１６内を検索して、ステップＳ３１で得られたデータストリームに含まれている番組依存コンテンツが既に取得されているものであるか否かを判断する。
【０１３９】
そして、“既に取得されているものである”と判断された場合（ステップＳ３２：Ｙｅｓ）、記録再生装置１は、ステップＳ３５へ処理を進める。一方、“既に取得されているものでない”と判断された場合（ステップＳ３２：Ｎｏ）、記録再生装置１は、ステップＳ３３へ処理を進める。
【０１４０】
なお、ステップＳ３１で得られたデータストリームに含まれている番組依存コンテンツが、取得済みの番組依存コンテンツよりもバージョンまたは内容が新しいものである場合がある。この場合も、記録再生装置１は、ステップＳ３３へ処理を進める。
【０１４１】
ステップＳ３３：番組依存コンテンツ抽出部１３が、ステップＳ３１で得られたデータストリームから番組依存コンテンツを抽出する。
【０１４２】
ステップＳ３４：番組依存コンテンツ記録部１４が、ステップＳ３３で抽出された番組依存コンテンツをコンテンツ蓄積部１６に記録する。
【０１４３】
ステップＳ３５：受信部１０が、ステップＳ３１で選局されたチャンネルが番組非依存コンテンツの取得対象となっているか否かを判断する。既に説明したとおり、受信部１０は、予め記録再生装置１内に保存された番組非依存コンテンツ取得放送局情報を参照することにより、ステップＳ３１で選局されたチャンネルが、番組非依存コンテンツの取得対象となっているか否かを判断することができる。
【０１４４】
そして、“番組非依存コンテンツの取得対象となっている”と判断された場合（ステップＳ３５：Ｙｅｓ）、記録再生装置１は、ステップＳ３６へ処理を進める。一方、“番組非依存コンテンツの取得対象となっていない”と判断された場合（ステップＳ３５：Ｎｏ）、記録再生装置１は、ステップＳ３６〜Ｓ３８をスキップして、ステップＳ３１へ処理を戻し、引き続き、次のチャンネルに対する処理を行う。
【０１４５】
ステップＳ３６：番組非依存コンテンツ抽出部１１が、ステップＳ３１で得られたデータストリーから番組非依存コンテンツを抽出する。
【０１４６】
ステップＳ３７：番組非依存コンテンツ記録部１２が、ステップＳ３６で抽出された番組非依存コンテンツをコンテンツ蓄積部１６に記録するか否かを判断する。
【０１４７】
例えば、番組非依存コンテンツ記録部１２は、コンテンツ蓄積部１６から、ステップＳ３６で抽出された番組非依存コンテンツと同名（同ＩＤ）の番組非依存コンテンツを検索する。
【０１４８】
そして、番組非依存コンテンツ記録部１２は、検索された番組非依存コンテンツのバージョンが、ステップＳ３６で抽出された番組非依存コンテンツのバージョンと同一の場合、“ステップＳ３６で抽出された番組非依存コンテンツをコンテンツ蓄積部１６に記録しない”と判断する（ステップＳ３７：Ｎｏ）。この場合、記録再生装置１は、ステップＳ３８をスキップして、ステップＳ３１へ処理を戻し、引き続き、次のチャンネルに対する処理を行う。
【０１４９】
一方、番組非依存コンテンツ記録部１２は、検索された番組非依存コンテンツのバージョンが、ステップＳ３６で抽出された番組非依存コンテンツのバージョンよりも古い場合、“ステップＳ３６で抽出された番組非依存コンテンツをコンテンツ蓄積部１６に記録する”と判断する（ステップＳ３７：Ｙｅｓ）。この場合、記録再生装置１は、ステップＳ３８へ処理を進める。
【０１５０】
ステップＳ３８：番組非依存コンテンツ記録部１２が、ステップＳ３６で抽出された番組非依存コンテンツをコンテンツ蓄積部１６に記録する。その後、記録再生装置１は、ステップＳ３１へ処理を戻し、引き続き、次のチャンネルに対する処理を行う。
【０１５１】
ステップＳ３８において、既に同名（同ＩＤ）の古いバージョンの番組非依存コンテンツがコンテンツ蓄積部１６に記録されている場合、番組非依存コンテンツ記録部１２は、ステップＳ３６で抽出された番組非依存コンテンツによって、古いバージョンの番組非依存コンテンツを上書き更新する。
【０１５２】
このとき、記録再生装置１は、古いバージョンの番組非依存コンテンツを削除してもよく、ユーザが任意のタイミングで参照可能なように、古いバージョンの番組非依存コンテンツを当該記録再生装置１内に格納しておいてもよい。この場合、記録再生装置１は、古いバージョンの番組非依存コンテンツを、その内容に応じて、上記のように削除するか、または、上記のように格納しておくかを判断するようにしてもよい。
【０１５３】
例えば、古いバージョンの番組非依存コンテンツが、天候情報、防災情報、交通情報、地域イベント情報など、特に最新の情報がユーザにとって有用なものである場合、記録再生装置１は、この番組非依存コンテンツを削除するようにしてもよい。
【０１５４】
一方、古いバージョンの番組非依存コンテンツが、店舗情報など、特に最新の情報でなくともユーザにとって有用なものである場合、記録再生装置１は、この番組非依存コンテンツを当該記録再生装置１内に格納しておくようにしてもよい。この場合、記録再生装置１は、古いバージョンの番組非依存コンテンツの内容に応じて、格納しておく期間を異ならせてもよい。
【０１５５】
例えば、記録再生装置１は、電源がＯＮになると、図１３に示す一連の処理を開始する。そして、記録再生装置１は、電源がＯＮとなっている間、図１３に示す一連の処理を繰り返し実行する。これにより、記録再生装置１のコンテンツ蓄積部１６には、常に複数のチャンネルの各々の最新のデータ放送コンテンツが記録される。そして、記録再生装置１は、電源がＯＦＦになると、図１３に示す一連の処理を終了する。但し、電源がスタンバイの状態では、図１３に示す一連の処理を終了しない。これにより、記録再生装置１は、スタンバイ中であっても、最新のデータ放送コンテンツを得ることができるようになっている。なお、図１３に示す一連の処理の開始／終了タイミングは、上記に限らず、どのようなタイミングであってもよい。
【０１５６】
上記手順により、記録再生装置１は、チューナを１つしか備えていない場合でも、複数のチャンネルのデータ放送コンテンツを取得することができる。すなわち、少なくとも１つのチューナを備えている装置であれば、どのような装置であっても、記録再生装置１として用いることができるということである。
【０１５７】
なお、チューナを１つしか備えていない記録再生装置１において、データ放送コンテンツの取得処理中に、チューナを必要とする何らかの処理（例えば、番組コンテンツの録画処理や再生処理等）を実行する必要が生じる場合がある。この場合、記録再生装置１は、データ放送コンテンツの取得処理を中断し、上記チューナを用いて、要求された処理を行うとよい。そして、要求された処理が終了し次第、上記チューナを用いて、データ放送コンテンツの取得処理を再開するとよい。
【０１５８】
もちろん、記録再生装置１は、チューナを２つ以上備えている場合であっても、そのうちの１つのチューナによって、複数のチャンネルのデータ放送コンテンツを取得することも可能である。この場合、記録再生装置１は、残りのチューナをデータ放送コンテンツの取得処理に割り当てる必要がなくなるため、残りのチューナを有効に利用することが可能となる。例えば、記録再生装置１は、１つのチューナによるデータ放送コンテンツを取得する処理と、他のチューナによる何らかの処理（例えば、番組コンテンツの録画処理や再生処理等）とを、並行して実行することが可能となる。
【０１５９】
〔プログラム、記憶媒体〕
記録再生装置１の各ブロックは、集積回路（ＩＣチップ）上に形成された論理回路によってハードウェア的に実現してもよいし、ＣＰＵ（Central Processing Unit）を用いてソフトウェア的に実現してもよい。
【０１６０】
後者の場合、記録再生装置１は、各機能を実現するプログラムの命令を実行するＣＰＵ、上記プログラムを格納したＲＯＭ（Read Only Memory）、上記プログラムを展開するＲＡＭ（Random Access Memory）、上記プログラムおよび各種データを格納するメモリ等の記憶装置（記録媒体）などを備えている。そして、本発明の目的は、上述した機能を実現するソフトウェアである記録再生装置１の制御プログラムのプログラムコード（実行形式プログラム、中間コードプログラム、ソースプログラム）をコンピュータで読み取り可能に記録した記録媒体を、記録再生装置１に供給し、そのコンピュータ（またはＣＰＵやＭＰＵ）が記録媒体に記録されているプログラムコードを読み出し実行することによっても、達成可能である。
【０１６１】
上記記録媒体としては、例えば、磁気テープやカセットテープ等のテープ類、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク類、ＩＣカード（メモリカードを含む）／光カード等のカード類、マスクＲＯＭ／ＥＰＲＯＭ／ＥＥＰＲＯＭ／フラッシュＲＯＭ等の半導体メモリ類、あるいはＰＬＤ（Programmable logic device）やＦＰＧＡ（Field Programmable Gate Array）等の論理回路類などを用いることができる。
【０１６２】
また、上記プログラムコードは、通信ネットワークを介して記録再生装置１に供給してもよい。この通信ネットワークは、プログラムコードを伝送可能であればよく、特に限定されない。例えば、インターネット、イントラネット、エキストラネット、ＬＡＮ、ＩＳＤＮ、ＶＡＮ、ＣＡＴＶ通信網、仮想専用網（Virtual Private Network）、電話回線網、移動体通信網、衛星通信網等が利用可能である。また、この通信ネットワークを構成する伝送媒体も、プログラムコードを伝送可能な媒体であればよく、特定の構成または種類のものに限定されない。例えば、ＩＥＥＥ１３９４、ＵＳＢ、電力線搬送、ケーブルＴＶ回線、電話線、ＡＤＳＬ（Asymmetric Digital Subscriber Line）回線等の有線でも、ＩｒＤＡやリモコンのような赤外線、Ｂｌｕｅｔｏｏｔｈ（登録商標）、ＩＥＥＥ８０２．１１無線、ＨＤＲ（High Data Rate）、ＮＦＣ（Near Field Communication）、ＤＬＮＡ（Digital Living Network Alliance）、携帯電話網、衛星回線、地上波デジタル網等の無線でも利用可能である。
【０１６３】
〔付記事項〕
なお、ここで開示された実施の形態はすべての点で例示であって制限的なものではないと考えられるべきである。本発明の範囲は、上記した説明だけではなく、特許請求の範囲によって示され、特許請求の範囲と均等の意味および範囲内でのすべての変更が含まれることが意図される。
【産業上の利用可能性】
【０１６４】
本発明は、デジタル放送に対応したレコーダ等に好適に利用することができる。
【符号の説明】
【０１６５】
１            記録再生装置
１０          受信部（受信手段）
１１          番組非依存コンテンツ抽出部
１２          番組非依存コンテンツ記録部（データ放送コンテンツ記録手段）
１３          番組依存コンテンツ抽出部
１４          番組依存コンテンツ記録部（データ放送コンテンツ記録手段）
１５          番組コンテンツ記録部（番組コンテンツ記録手段）
１６          コンテンツ蓄積部
１７          番組非依存コンテンツ読出／再生部（データ放送コンテンツ読出手段）
１８          番組依存コンテンツ読出／再生部（データ放送コンテンツ読出手段）
１９          番組コンテンツ読出／再生部（番組コンテンツ再生手段）
２０          コンテンツ描画部（データ放送コンテンツ表示手段）
【図１】
0005384681.tif 000002
【図２】
0005384681.tif 000003
【図３】
0005384681.tif 000004
【図４】
0005384681.tif 000005
【図５】
0005384681.tif 000006
【図６】
0005384681.tif 000007
【図７】
0005384681.tif 000008
【図８】
0005384681.tif 000009
【図９】
0005384681.tif 000010
【図１０】
0005384681.tif 000011
【図１１】
0005384681.tif 000012
【図１２】
0005384681.tif 000013
【図１３】
0005384681.tif 000014